(57)【要約】【課題】  書面などを透明ポケットに入れ背表紙に固定するクリアブックと称される事務用品（に関し、特に外装部である背表紙に収納袋を係止具で係止することで、容易に一体化でき、さらに容易に解体してリサイクルできるクリアブックを提供する。【解決手段】  内部にボール紙をＰＰフィルムで包んでくるみ表紙２ａとした背表紙３の内面に、例えば４５μｍの厚さのＰＰフィルムからなり、一端に書面９を入れる開口部４ａを有する収納袋４の複数枚を積層し、一方、突起６を有するＰＰからなる係止板５の突起６を背表紙３の外面から背表紙３に開口した突起挿通孔３ａおよび積層した収納袋４に開口した綴じ孔４ａに順次挿通し、係止孔８を開口したＰＰからなる挟持板７で背表紙３と収納袋４を挟持し、突起６の先端を係止孔８に係止して積層した収納袋４を背表紙３に取り付け、背表紙３の外側面にＰＰフィルムの書面名入れ３ｂを設けて形成したクリアファイル１。【選択図】      図６
2009012268.tif 000002
【特許請求の範囲】
【請求項１】
ボール紙をポリプロピレンフィルム（以下、「ポリプロピレン」を「ＰＰ」という。）で包んでくるみ表紙とした背表紙を有する表紙の背表紙内面にＰＰフィルムからなる一端に開口部を有する見開きの表紙大の収納袋の複数枚を積層し、突起を有するＰＰからなる係止板の該突起を背表紙の外面から背表紙に開口の突起挿通孔および積層した収納袋に開口の綴じ孔に挿通し、該係止板の突起の相当位置に係止孔を開口したＰＰからなる挟持板で背表紙と収納袋を挟持して、該突起の先端を該係止孔に係止して積層した収納袋を背表紙に取り付け、背表紙の最外側面にＰＰフィルムの書面名入れを設けて形成したことを特徴とする環境に配慮したリサイクル可能な立て置きできるクリアブック。
【請求項２】
背表紙を有する表紙は、背表紙との境界に内面側へ突出する筋条を設けて、表紙に対して背表紙を筋条の外面側の部分で外側に張り出させて表紙を背表紙に対して折れ曲げ自在としたことを特徴とする請求項１に記載の環境に配慮したリサイクル可能な立て置きできるクリアブック。
【発明の詳細な説明】
【技術分野】
【０００１】
本発明は、書面などに綴じ孔を開けずに綴じることが可能かつ外部から書面を識別可能な収納袋である透明ポケットを背表紙に固定した固定式のクリアブックもしくはクリアファイルとも称される事務用品（以下、「クリアブック」という。）に関し、特に外装部である背表紙に収納袋を係止具で係止することで、容易に一体化でき、簡易に製作可能な構造とし、さらに環境に配慮して容易に解体してリサイクルできる構成からなるクリアブックに関するものである。
【背景技術】
【０００２】
従来、一般のクリアブックは、その表紙の内容物として、透明もしくは半透明な２枚あわせの長方形のプラスチックフィルムの袋体を有し、その袋体の１辺が開放されてポケット状の収納袋に形成され、このポケット状の収納袋の多数組を備えている。そして、このポケット状の収納袋の開放された１辺の開口、例えば上部の開口から書面などの紙面をポケット状の収納袋内へと差し入れることで、書面に穴などを開けることなく収納して一括して保持することが可能となっている。これらのクリアブックには、その内容物たる収納袋を表紙の背表紙内に設けた取付け器具である綴じ具に加除式に着脱可能となっている、図７の（ｂ）に示す、差替式のクリアブック１と、予め収納袋を所定の枚数毎に背表紙の内面に固定した、図７の（ａ）に示す、固定式のクリアブック１とがある。
【０００３】
図７の（ｂ）に示すように、差替式のクリアブック１は、上部の開口部４ｃ有するポケット状の収納袋４をリフィルとして加除可能としており、収納袋４の一端の綴じ代に所定の間隔をあけて綴じ込み用の小穴（例えば、２穴、４穴、２６穴、３０穴など）であるリング用孔４ｅが設けられている。すなわち、図７の（ｂ）では、リング３ｄで綴じるので、そのリング用孔４ｅが収納袋４に開口されている。該リフィルである収納袋４の綴じ込み用の小穴をクリアブック１の背表紙３の内面側にとりつけられた金属リングもしくはプラスチックリングなどのリング３ｄからなる係止具に挿通・係止して保持可能とすることで使用するものである。この差替式のクリアブック１は、リフィルの収納袋４が加除ができる点で便宜性は高いが、リフィルである収納袋４のポケットの開口部４ａに書面９を差し入れて使用するので、その書面９を入れた多数の収納袋４の荷重に耐えうるだけの強度が考慮されねばならず、それに見合う材料や形状が要請される。さらに、収納袋４を差し替えるためにリング３ｄを拡げたり、綴じたりする機構を有し、この機構を操作して差し替えるための手間がかかる。さらに、リング３ｄに金属やプラスチック等を用いることで重くなったり、係止具のリング径の分だけ部品が大がかりになったりする。一方、リング３ｄを用いる場合、このリング径の分だけクリアブック１の背幅Ｔやクリアブック１の奥行きである幅Ｗが余分に必要となり、このためにクリアブック１自体の形状が大きなものとなる。この結果、クリアブック１を保管する書棚の奥行きも大きくする必要があった。
【０００４】
他方、図７の（ａ）に示す、固定式のクリアブック１は、ポケットを有する収納袋４ごとでリフィルとして加除することはできないものの、書面９を傷つけることなく収納袋４に収納・保持したり、書面９を取り出して移し換えることが簡易に可能であることから、クリアブック１としての需要は高い。特に固定式のクリアブック１では、差替式のクリアブック１のようなリング３ｄの径を考慮しなくてよいため、コンパクトさおよび軽量さを実現しやすく、また、部品点数が少なく構造が単純といった点に優れている。そこで、差替式のクリアブック１のみならず、固定式のクリアブック１も広く用いられている。図７の（ａ）に示す固定式のクリアブック１はポケットを有する収納袋４の中に薄く着色された仕切用紙４ｄを挿入しており、このようにすることで、一つの収納袋４の仕切用紙４ｄの表裏にそれぞれ別の書面９を区別して挿入できるものとされている。
【０００５】
ところで、図７の（ａ）のように、従来の固定式のクリアブック１におけるポケット状の収納袋４を背表紙３へ固定するための固定方法としては、たとえば、クリアブック１の外装である表紙２および背表紙３をポリプロピレン（以下、「ＰＰ」という。）から形成し、このＰＰからなる背表紙３の裏面である内面側にＰＰからなるポケット状の収納袋４を重ねて両者を溶着部４ｃで溶着する方法がある。たとえば、ＰＰからなるクリアブック１の外装である表紙２を開いて、裏面である内面側を上にして開いた状態のまま平置し、その上に１０組の２枚あわせのＰＰフィルムからなるポケット状の収納袋４を積層し、この積層したＰＰフィルムの収納袋４の中央部と背表紙３の裏面である内面側のＰＰの面とを溶着部４ｃで熱融着あるいは超音波融着することにより、例えば左右１０組づつ、２０組のＰＰフィルムからなるポケット状の収納袋４を背表紙３の内面に形成するものが知られている（例えば、特許文献１参照。）。
【０００６】
ところで、昨今は資源の有効利用のために、物品を廃棄することなくリサイクルすることが社会的に要請されている。その際に特に環境を汚染しないように配慮することが望まれている。しかし、上記した固定式のクリアブック１では、ポケット状の収納袋４を溶着により背表紙３に設けているので、背表紙３とポケット状の収納袋４とが溶着状態にあり、使用後に廃棄処分するとき、ポケット状の収納袋４の材質と異なる材質からなる表紙２などの分離・解体が容易にできない。このため、この従来の固定式のクリアブック１は表紙２ごと処分することとなり、環境に配慮したリサイクルができない問題があった。
【０００７】
さらに、上記の固定式のクリアブックに代えた差替式としたクリアブックでは、クリアブックのＰＰフィルムからなる透明な収納袋の枚数を自在に増減することができる構造としている。このために螺子受け具を突設する帯板金を、背表紙から内面に設け、螺子受け具に透明な収納袋の開口孔を通して収納袋を綴じ、その上から帯状押え金具に開口の孔を通して押え、帯状押え金具の上から螺子受け具に螺子を締めて係止する構造からなるクリアブックが提案されている（例えば、特許文献２参照。）。しかし、このものは、金属部材で螺子止めする必要があり、クリアブックの製作に螺子止めするための手数が掛かり、さらに透明袋体の綴じ具が金属製部材であるために透明袋体をそのままではリサイクルできず、リサイクルするためには、螺子止めを外して分解して金属と金属以外のＰＰフィルムからなる透明袋体を分離する必要があり、この分離のためにコストがかかるものであった。
【０００８】
さらに、従来のクリアブックにおいて、表紙がＰＰなどのプラスチックのみからなるものは、表紙自体に腰がなく、１冊の独立したクリアブックを書類棚に立てて保管すると、たとえ当初は自立できても、時間の経過とともに内部のファイルともども曲がりを生じ、自立できなくなる。この欠点を補うために、表紙の内部の芯部を硬いボール紙で形成し、その周囲をＰＰなどのプラスチックフィルムで包んでくるみとしたものでは、時間が経過しても表紙が硬さを保っているので自立できる。ところで、このようなボール紙の芯を入れた表紙では、一般に表紙に背表紙の部分を設け、これらの表紙を背表紙に対して折曲げ容易とするために、表紙と背表紙部分の境界に外側面に凹条で内側面に凸条となる筋条を設けている。しかし、表紙の素材がＰＰのみからなるものでは、このような表紙と背表紙部分の境界に凹条と凸条からなる筋条を設けることなく、成形により直接に角を立てて折り曲げるので、角が酷しく立って、とげとげしくなっていた。一方、従来のくるみとしたクリアブックでは、上記のようにクリアブック自体は自立して立てられるが、上記したように環境に配慮したリサイクルをすることができず、さらに金属部材を有するものでは、金属とＰＰなどのプラスチックとの分離のために、コストがかかるものであった。
【０００９】
【特許文献１】特開２００１−２６１９１号公報
【特許文献２】特開平１０−２４４７９３号公報
【発明の開示】
【発明が解決しようとする課題】
【００１０】
本発明が解決しようとする課題は、書面を収納する透明なプラスチックフィルムからなる収納袋を有するクリアブックにおいて、このクリアブックを書棚に立てておく際に、表紙が収納袋の重量で徐々に曲がって倒れることのない構造として自立できるものとし、しかも、この書面を収納する透明なプラスチックフィルムからなる収納袋を表紙の背表紙の内面に、手間をかけることなく、低コストで、取りつけてクリアブックとすることができ、さらに使用済みとなったクリアブックを処分する場合に、金属などを取り除く必要をなくして手間をかけずにかつ低コストで表紙と収納袋を分離できるものとし、さらに分離したプラスチックフィルムからなる収納袋を環境に負担をかけることなくリサイクルを目的として構成したクリアブックを提供することである。
【課題を解決するための手段】
【００１１】
上記の課題を解決するための本発明の手段は、請求項１の発明では、内部に例えば１．６〜１．８ｍｍの厚さのボール紙をＰＰフィルムで包んでくるみ表紙２ａとした背表紙３を有する表紙２の背表紙内面に、例えば４５μｍの厚さのＰＰフィルムからなり、その一端に書面９などを入れるための開口部４ａを有する見開きの表紙大の収納袋４の複数枚を積層し、一方、例えば３〜４個の突起６を有するＰＰからなる係止板５を用意し、これらの突起６を背表紙３の外面から背表紙３に開口した突起挿通孔３ａおよび積層した収納袋４に開口した綴じ孔４ａに順次挿通し、この係止板５の突起６の相当位置に係止孔８を開口したＰＰからなる挟持板７で背表紙３と収納袋４を挟持して、突起６の先端をこれらの係止孔８にそれぞれ係止して積層した収納袋４を背表紙３に取り付け、背表紙３の最外側面にＰＰフィルムの書面名入れ３ｂを設けて形成したことを特徴とするクリアブック１であり、これは環境に配慮したリサイクル可能な立て置きできる構造からなるクリアブック１である。
【００１２】
請求項２の発明では、上記の請求項１の手段のクリアブック１におけるもので、背表紙３を有する表紙２は、背表紙３との境界に内面側へ突出する筋条２ｂを設けて、表紙に対して背表紙を筋条２ｂの外面側の部分で外側に張り出させて表紙２を背表紙３に対して折れ曲げ自在としたことを特徴とする請求項１の手段の環境に配慮したリサイクル可能な立て置きできる構造からなるクリアブック１である。
【発明の効果】
【００１３】
本発明は、上記の手段としたことで、書面を収納する透明なＰＰフィルムからなる収納袋を有するクリアブックは、その表紙がボール紙の芯により固いので、たとえ一冊であっても書棚に立てて置くことができ、しかも、請求項２の手段では、背表紙の断面形状がやや外方に膨らんだ形状をしているのでより一層に独立して書棚に立てて置くことができる。さらに、本発明のクリアブックは時間の経過とともに表紙が積層したＰＰフィルムの収納袋の重みにより徐々に曲がることがなく、さらに、係止板の突起を挟持板の係止孔に押圧するだけで挿通して固定できるので、ＰＰフィルムからなる収納袋を背表紙に手間をかけることなく、低コストで、一体化して取りつけることができる。さらに使用済みとなったクリアブックを処分する際、本発明のクリアブックは金属などの部品を使用していないので、金属を取り除く必要もなく、手間をかけずに、低コストで表紙と収納袋を分離でき、さらに分離したＰＰフィルムの収納袋をリサイクルすることができるなど、本発明のクリアブックは従来にない優れた効果を奏するものである。
【発明を実施するための最良の形態】
【００１４】
本発明の実施の形態を図面を参照して説明する。図１は本発明のクリアブックの（ａ）の斜視図と（ｂ）の上面から見た平面図である。図２は本発明における（ａ）の係止板と（ｂ）の挟持板の斜視図である。図３は本発明における２連の突起を有する係止板と挟持板を示す斜視図である。図４は本発明における突起を有する係止板を係止孔を有する挟持板に係合する状態を示す断面図である。図５は本発明における１連の突起、２連の突起、３連の突起および２連の突起の２体からなる係止板と挟持板を示す断面図である。図６は本発明のクリアブックの組立てを分解して示す斜視図である。図７は従来の（ａ）の固定式のクリアブックと、（ｂ）の差替式のクリアブックの斜視図である。
【００１５】
本発明のクリアブック１は、図１に示すように、外観は従来のクリアブックと異ならず、表紙２は高さＨで奥行きの幅Ｗを有し、背表紙３は背幅Ｔで高さＨであり、それら表裏の表紙２の間に挟持されて背表紙３に取り付けたＰＰフィルムからなる複数枚の積層した収納袋４からなっている。この表紙２および背表紙３は、その厚さが約１．７〜１．９ｍｍであり、内部に、例えば１．６〜１．８ｍｍの厚さのボール紙からなる表紙大の厚紙を芯紙として内在しており、その周囲を、例えば厚み１００μｍの、ＰＰフィルムで包んで、にかわなどの接着剤で接着してくるみ表紙２ａとしている。これらの表紙２および背表紙３は、このようにボール紙を芯紙として十分な厚みを有するので、腰が強く、折れ曲ることはない。
【００１６】
これらの表紙２および背表紙３は、図６に見られるように、くるみ表紙２ａと背表紙３が一体物として形成されており、くるみ表紙２ａと背表紙３の境界には、左右の２本の筋条２ｂを設けている。この左右の２本の筋条２ｂでくるみ表紙２ａは背表紙３に対して折れ曲げ得る構造となっている。上記したように、これらの背表紙３にＰＰフィルムからなる複数枚の積層した収納袋４が、図２に示すＰＰからなる係止板５と挟持板７とで、図６に示すように、挟持されている。
【００１７】
これらの係止板５と挟持板７は、図２に示す構造では、それらの長さはＰＰフィルムからなる収納袋４の上下の綴じ幅と略同様である。係止板５には複数の突起６が適宜間隔をあけて、例えばＡ４タイプの収納袋４のものでは、上下から２０ｍｍの位置と中央の位置に互いに１３５ｍｍの間隔をあけて３個の突起６が１列に配列され、それぞれ板面から垂直に立垂されて一体化して設けられている。この突起６を１列に配列した係止板５は、幅が１．５ｍｍで、厚さが２ｍｍで、長さが３０５ｍｍで、突起６の高さが６．５ｍｍで、突起６の径が３．８ｍｍであり、さらに、この係止板５と組み合わされて使用される挟持板７には、突起６に見合う位置に係止孔８が開孔されており、この挟持板７は、幅が８．５ｍｍで、厚さが２．７ｍｍで、長さが３０５ｍｍで、係止孔８の径は４ｍｍである。
【００１８】
図３は、背表紙３の背幅Ｔが広く図２のものに比し略２倍で、複数枚の積層した収納袋４が背表紙３に２列に綴じられる大きさのクリアブック１のものである。この場合は、係止板５は突起６を２列に配列されており幅広であるが、挟持板７は上記の１列のものと同じ形状のものであり、これを２枚使用するものであり、このように挟持板７を２列に分離したものとすることでクリアブック１の背表紙３の内面の面積十分に確保して幅をもたせて、収納袋４に書面９を収納して肉厚となっても、背表紙３の内面に余裕を持たせている。これらの係止板５は、図５の（ａ）〜（ｃ）に示すように、突起６を１列、２列、３列と配列することができ、４列の場合は、図５の（ｄ）に示すように、２列のものを２条に賜与するものとする。しかし、これらの場合も、挟持板７はいずれの場合も上記の１列のものと同じ形状のものとし、背表紙３の内面に余裕を持たせている。
【００１９】
図４に、係止板５の突起６を挟持板７の係止孔８に挿通して係止する状態を説明して示す。（ａ）に示すように、係止板５の突起６はその先端の中央から係止板５側の途中までに隙間６ａが開けられている。突起６は先端側に狭小となりいったん拡径されてもどり６ｂを形成し、突起６の先端部を拡大している。一方、挟持板７はその中央下部の孔が２段階の孔からなり、下部の孔を突起６の先端部を導入する先細りの縮小孔８ａとし、その上に係止部８ｂを水平に有し、さらに突起６のもどり６ｂを挿着着可能とする拡大孔８ｃに形成されている。図示しないが複数枚の積層した収納袋４をその綴じ孔４ｂで突起６に挿着する。次いで、挟持板７の係止孔８を矢印方向に移動して（ｂ）に示すようにとき６の先端を挿入する。このとき隙間６ａは挿入に連れて細まり、（ｃ）のもどり６ｂを縮小孔８ａに嵌合して、さらに（ｄ）で上方に移動して（ｅ）のもどり６ｂが拡大孔８ｃに完全に嵌まり込み、隙間６ａも元の状態に拡がり係止が完了される。
【００２０】
具体的には、図６に示すように、表紙２の背表紙３の上に、ＰＰからなる収納袋４を１０枚を積層して重ね、背表紙３の外面に、上方に突起６を向けた係止板５を当てがって、背表紙３の突起挿通孔３ａに突起６を矢印方向に挿入し、さらに、この突起６を積層した収納袋４の開口部４ｂの孔に挿通し、次いで上方から縮小孔８ａを下にした挟持板７を押圧して突起６を挿通して係止する。次いで、背表紙３の外面の係止板５の外側からＰＰフィルムからなる書面名入れ３ｂをやや隙間を開けて重ねて、その長手方向端部の溶着部３ｃで熱融着あるいは超音波溶着により背表紙３に付着する。
【００２１】
以上で製作したクリアブック１は、ボール紙にＰＰシートをにかわで接着してくるみ表紙２ａとしているので強度があり、仕上がりも高級感があり、ＰＰのみのファイル外装のものの場合に、表紙２と背表紙３の角の折れ曲がった点がギスギスと尖っていて手触りがわるく、フィット感に劣るが、本発明のくるみ表紙２ａのものは手になじみがある。一方、従来のクリアブック１のＰＰからなる表紙２のものは、くるみ表紙２ａではないので、１冊〜３冊程度の場合では、本棚の上で屈曲したりして自立しない。そこで、ブックスタンドなどを用いて両脇から支えて載置する必要があり、そのための手間を強いられる。しかし、くるみ表紙のものは独立の１冊で自立する。さらに、本発明の係止板５と挟持板７の引張り強度は２０ｋｇ／ｍｍ2であり、十分に内容物の書面９を入れた収納袋４の重量に鑑みると、その引張り強度は２０ｋｇ／ｍｍ2で、十分に耐久力がある。加えて使用後の解体時に、くるみ表紙の部分は焼却し、ＰＰフィルムの収納袋４は再生に簡易に分別しうる素材からなる構造であり、係止板５と挟持板７に２０ｋｇ／ｍｍ2以上の力で引っ張ることで、簡単に外れ、従来の収納袋４が溶着によるものの場合のように刃物で切り離すなどの行為は不要であることから、本発明では、簡単な切り離しによる分別が可能である。
【図面の簡単な説明】
【００２２】
【図１】本発明のクリアブックの（ａ）は斜視図で、（ｂ）は上面から見た平面図である。
【図２】本発明における係止板を（ａ）に示し、挟持板を（ｂ）に示す斜視図である。
【図３】本発明における２連の突起を有する係止板と挟持板を示す斜視図である。
【図４】本発明における突起を有する係止板を係止孔を有する挟持板に係合する状態を示す断面図である。
【図５】本発明における１連の突起、２連の突起、３連の突起および２連の突起の２体からなる係止板と挟持板を示す断面図である。
【図６】本発明のクリアブックの組立てを分解して示す斜視図である。
【図７】従来のクリアブックで（ａ）は固定式のクリアブック、（ｂ）は差替式のクリアブックを示す斜視図である。
【符号の説明】
【００２３】
１  クリアブック
２  表紙
２ａ  くるみ表紙
２ｂ  筋条
３  背表紙
３ａ  突起挿通孔
３ｂ  書面名入れ
３ｃ  溶着部
３ｄ  リング
４  収納袋
４ａ  開口部
４ｂ  綴じ孔
４ｃ  溶着部
４ｄ  仕切用紙
４ｅ  リング用孔
５  係止板
６  突起
６ａ  隙間
６ｂ  もどり
７  挟持板
８  係止孔
８ａ  縮小孔
８ｂ  係止部
８ｃ  拡大孔
９  書面
【図１】
2009012268.tif 000003
【図２】
2009012268.tif 000004
【図３】
2009012268.tif 000005
【図４】
2009012268.tif 000006
【図５】
2009012268.tif 000007
【図６】
2009012268.tif 000008
【図７】
2009012268.tif 000009